(57)【要約】【課題】  磁力が強く、絵付けが簡単であり、しかも製造工程が簡略化されたインモールド成型磁石およびゴルフ用のマーカーを提供すること。【解決手段】  合成樹脂製の板状体であって、前記板状体は、酸化鉄・酸化クロム・コバルト・フェライト等の磁性体を混合した合成樹脂を着磁しながら射出成形することによって、表裏がＮ極およびＳ極を構成する磁石として形成されたものであり、前記板状体の少なくとも一側面には、前記射出成形を行う金型内に装着した印刷層を有する転写シートによって、印刷層が転写されていることを特徴とするインモールド成型磁石。【選択図】図１
2008260155.tif 000002
【特許請求の範囲】
【請求項１】
合成樹脂製の板状体であって、
前記板状体は、酸化鉄・酸化クロム・コバルト・フェライト等の磁性体を混合した合成樹脂を着磁しながら射出成形することによって、表裏がＮ極およびＳ極を構成する磁石として形成されたものであり、
前記板状体の少なくとも一側面には、前記射出成形を行う金型内に装着した印刷層を有する転写シートによって、印刷層が転写されていることを特徴とするゴルフ用マーカー。
【請求項２】
合成樹脂製の板状体であって、
前記板状体は、酸化鉄・酸化クロム・コバルト・フェライト等の磁性体を混合した合成樹脂を着磁しながら射出成形することによって、表裏がＮ極およびＳ極を構成する磁石として形成されたものであり、
前記板状体の少なくとも一側面には、前記射出成形を行う金型内に装着した印刷層を有する転写シートによって、印刷層が転写されていることを特徴とするインモールド成型磁石。
【発明の詳細な説明】
【技術分野】
【０００１】
本発明は、磁性を有した板状のゴルフ用のマーカーおよびインモールド成型磁石に関する。
【背景技術】
【０００２】
従来、ゴルフの際に、ボールの位置を示す目印として使用するゴルフ用のマーカーとして、図４に示すような、アルミニウムや他の金属によるダイキャスト製の円板状のマーカー１００が知られている。当該マーカーの表面には凹凸と彩色によって模様が描かれ、裏面には窪みが設けられ磁１０２石が嵌め付けられている。すなわち、当該マーカーは、表面には絵が描かれ、裏面には磁石が嵌め付けられた金属板１０１として形成されたものであり、未使用時には磁石が吸着可能となる鉄等の素材によって形成したホルダーに磁力によって保持させておくものである。当該ホルダーは、挟着用クリップなどによって帽子の鍔や腰のベルトに予め予め取り付けておくことができるものである。
また、上記ゴルフボール用マーカーとして合成樹脂によって形成したものもあるが、当該合成樹脂はほとんどが石油由来のプラスチック製であり、地表に放置されるとゴミとしてそのまま残存する（図示せず）。
また、インモールドフィルム（転写用の絵柄を設けたフィルム）を用いたインモールド製品の製造方法（特許文献１）、磁石粉末と熱可塑性樹脂を配合した混合物を、磁界を印加しながら射出成形する樹脂結合型永久磁石の製造方法（特許文献２）が知られている。
【特許文献１】特開２０００−１０８１５８号公報
【特許文献１】特公平５−３１２４号公報
【発明の開示】
【発明が解決しようとする課題】
【０００３】
上記従来の磁石吸着式のゴルフ用マーカーは、主として金属によって形成されているので、ゴルフ場のプレイエリアに放置されると、芝刈り機が当該ゴルフ用マーカーを噛み込んで、芝刈り用の刃を破損させる場合があった。また、合成樹脂製のゴルフ用マーカーは、主として石油由来のものであり、地表に放置された場合分解されることなく、そのまま残存することになる。
本願発明は、上記課題を解決するものであって、誤って芝刈り機に巻き込まれても、当該芝刈り機を破損させず、仮に地表に放置されたとしても風化や生分解によって分解されやすいゴルフ用マーカーを提供することを課題とする。
さらに、本願発明は磁力が強く、絵付けが簡単であり、しかも製造工程が簡略化されたゴルフ用のマーカーおよびインモールド成型磁石を提供することを課題とする。
【課題を解決するための手段】
【０００４】
上記課題を解決するために、本願発明は下記の構成を有する。
合成樹脂製の板状体であって、
前記板状体は、酸化鉄・酸化クロム・コバルト・フェライト等の磁性体を混合した合成樹脂を着磁しながら射出成形することによって、表裏がＮ極およびＳ極を構成する磁石として形成されたものであり、
前記板状体の少なくとも一側面には、前記射出成形を行う金型内に装着した印刷層を有する転写シートによって、印刷層が転写されていることを特徴とするゴルフ用のマーカー。
【０００５】
また、本願発明は下記の構成を有する。
合成樹脂製の板状体であって、
前記板状体は、酸化鉄・酸化クロム・コバルト・フェライト等の磁性体を混合した合成樹脂を着磁しながら射出成形することによって、表裏がＮ極およびＳ極を構成する磁石として形成されたものであり、
前記板状体の少なくとも一側面には、前記射出成形を行う金型内に装着した印刷層を有する転写シートによって、印刷層が転写されていることを特徴とするインモールド成型磁石。
【発明の効果】
【０００６】
本願発明は、一度の射出成形によって、表面に対する絵付けと樹脂成型品の磁化を同時に行うものであるから、製造工程が少ないという効果がある。
また。射出成形に用いる樹脂を植物由来の合成樹脂または生分解性のプラスチックにすることで、地表に放置されたとしても、土壌を汚染することなく、風化や微生物によって分解させることができるという効果を有している。
また、本願発明に係るインモールド成型磁石は、磁石吸着式のホワイトボードなどに使用するマグネットクリップとして形成した場合であっても、紙片を保持するのに十分な磁力を有するものとなっている。
【発明を実施するための最良の形態】
【０００７】
以下、本願発明を実施するための最良の形態について説明する。
図１（ａ）は、本願発明に係るインモールド成型磁石の一例として形成されたゴルフ用のマーカーを表した図である。当該マーカー１は、直径２〜２．５ｃｍ、厚さ２ｍｍ程度の円形板として形成されたものであり、後述するインモールド成形によって表面に絵柄２が設けられたものである。図１（ｂ）は、当該マーカー１の断面図であり、表面に絵柄２を形成する印刷層３を設けた状態を表している。
【０００８】
図２は、前記マーカー１を形成する成形装置４の概略を断面図として表したものである。当該成形装置４は、２分割された金型５、６を有しており、当該金型５、６に設けた成形空間７によってマーカー１を射出成形するようになっている。また、金型５と金型６の間には、転写可能な印刷層３として設けられた絵柄２を有する絵柄シート８が配置可能になっている。当該絵柄シート８の金型６側の面に印刷層３が設けられている。
金型６には射出成型用の熱可塑性樹脂が注入される注入孔９が設けられており、金型５に接合した状態で樹脂の注入が行われるようになっている。
【０００９】
金型５には、成形空間７に通じる空気抜き用の孔１０が複数設けられている。当該孔１０は、射出成型時の射出圧を逃がすものでもよく、負圧で積極的に吸引するようになっていてもよいものであり、成形空間７の金型５側の内壁に絵柄シート８を密着させることを目的としたものである。
また、金型５には、磁界発生手段１１が設けられている。当該磁界発生手段１１は、円筒状の鉄心１２と、コイル保持用のボビン１３と、当該ボビンに巻回されるコイル１４によって構成されており、コイルに電流を流すことにより、電磁石として鉄心１２を中心として磁界を発生させるようになっている。
【００１０】
当該成形装置４に注入される熱可塑性樹脂には、酸化鉄・酸化クロム・コバルト・フェライト等の磁性体が混合されており、前記磁界発生手段１１によって磁界を発生させつつ射出成形するようになっている。このような成形方法を採用することにより、熱可塑性樹脂の硬化の際に磁性体を規則的に配列させ、固形化した状態で磁石として磁界を発生させることができるようになっている。
また、当該射出成形の際、成形空間７に設けられた前記絵柄シート８の絵柄２が、注入された樹脂によって押圧され、樹脂の硬化とともに絵柄２が成型物の表面に転写される。このようにして、上記磁界発生手段１１を有した成形装置４と、絵柄シート８と、酸化鉄
・酸化クロム・コバルト・フェライト等の磁性体が混合した熱可塑性樹脂によって、成形完了と同時に表面に絵柄を設け、かつ永久磁石としての磁力を備えた円板状の樹脂成形物を形成している。
【００１１】
前記熱可塑性樹脂として、ポリ乳酸を含有した生分解性の合成樹脂、その他木粉や米粉を原料に生成した生分解性の合成樹脂を用いることができる。当該生分解性の樹脂を用いることで、仮に地表に放置されたとしても、時間の経過とともに、生分解、風化によって微細化され土と同様になる。
また、前記熱可塑性樹脂として、植物を亜臨界状態で加圧熱水反応させることにより生成したリグニンとセルロースを主成分として有する植物由来の合成樹脂を使用することができる。当該植物由来の合成樹脂は、放置されたとしても含水による崩壊、風化、微生物による分解によって微細化し、土壌を汚染することなく土と一体化する性質を有している。
【００１２】
前記樹脂成型物は、例えばゴルフにおいて、ボールの位置を示すために一時的に地表に置くマーカーとして使用することができる。
また、前記成形装置４によって形成した成型物は、磁石吸着式のホワイトボード、鋼板によって外装を形成したキャビネットや冷蔵庫の表面に吸着させることができる所謂マグネットクリップとして形成することができる。
【００１３】
また、図３は他のゴルフ用マーカー５０を示している。当該ゴルフ用マーカー５０は、円形に形成した合成樹脂製の円板５１に、薄い円板型の磁石５２を貼り付けて形成したものである。合成樹脂製の円板５１は、一例として、ポリ乳酸を含有した生分解性の合成樹脂、その他木粉や米粉を原料として生成した生分解性の合成樹脂を用いることができる。
また、薄い円板型の磁石５２も、上記ポリ乳酸やその他の生分解性の合成樹脂を用いた着磁成形によって、生分解性の磁力板として形成することができる。
【００１４】
また、上記マーカー５０の主成分となる合成樹脂は、植物を亜臨界状態で加圧熱水反応させることにより生成したリグニンとセルロースを主成分とする植物由来の合成樹脂であってもよい。当該植物由来の合成樹脂は、放置されたとしても含水による崩壊、風化、微生物による分解によって微細化し、土壌を汚染することなく土と一体化するので、本願発明に係るゴルフボール用マーカーとして最適な素材である。
また、前記ゴルフ用マーカー５０および円板５１はの素材として、植物を亜臨界状態で加圧熱水反応させることにより生成したリグニンとセルロースを主成分として有する植物由来の合成樹脂を使用することができる。当該植物由来の合成樹脂は、放置されたとしても含水による崩壊、風化、微生物による分解によって微細化し、土壌を汚染することなく土と一体化する性質を有している。
【産業上の利用可能性】
【００１５】
本願発明は、ゴルフ用のマーカー、マグネットクリップ等に利用可能である。
【図面の簡単な説明】
【００１６】
【図１】本願発明に係るゴルフボール用マーカーの正面図（ａ）と断面図（ｂ）である。
【図２】本願発明に係るゴルフボール用マーカーを形成する成形装置の概略図である。
【図３】他のゴルフ用マーカーの断面図である。
【図４】従来のゴルフボール用マーカーの断面図である。
【符号の説明】
【００１７】
１  マーカー
２  絵柄
３  印刷層
４  成形装置
５、６  金型
７  成形空間
８  絵柄シート
９  注入孔
１０  空気抜き用の孔
１１  磁界発生手段
１２  鉄心
１３  ボビン
１４  コイル
１００  ゴルフボール用マーカー
１０１  円板
１０２  磁石
【図１】
2008260155.tif 000003
【図２】
2008260155.tif 000004
【図３】
2008260155.tif 000005
【図４】
2008260155.tif 000006